(57)【特許請求の範囲】
【請求項１】
前面下部に温風吹出口を有する本体と、この本体に内設され、熱源により加熱されて蓄熱する蓄熱部材と、前記蓄熱部材に空気を通して温風となし、前記温風吹出口より吹出させる送風機と、運転モードに応じて前記熱源手段および送風機を制御する制御部と、前記温風吹出口に配置され、その温風吹出口からの温風吹出し方向を変えるために左右に回動可能で、かつ床面と略垂直方向に配設された複数枚の可動式整流板とを具備し、前記複数枚の可動式整流板は風上側がそれぞれ軸支されるとともに、反対側の風下側側面からは隣接した可動式整流板に当接するアーム部をそれぞれ突設し、前記複数枚の可動式整流板を左右方向に回動させた場合に、これら整流板の風下側間隔をアーム部の長さを基準とした値に保持するようにした蓄熱温風機。
【発明の詳細な説明】
【０００１】
【発明の属する技術分野】
本発明は、蓄熱部材に蓄熱された熱で温風をつくり暖房を行うようにした蓄熱温風機に関する。
【０００２】
【従来の技術】
従来のこの種蓄熱温風機を図６により説明する。蓄熱部材２１と、この蓄熱部材２１を加熱して蓄熱させ、空気を温風に加熱する高温ふく射ヒータ２２と、蓄熱部材２１の蓄熱量で空気を温風に熱交換するために設けた蓄熱通風路２３と、蓄熱通風路２３を断熱するための断熱部材２４と、蓄熱通風路２３に空気を送り込むための送風機２５と、高温ふく射ヒータ２２、送風機２５を制御する制御部（図示せず）と、床面と略水平あるいは略垂直な固定式整流板２７を有した温風吹出口２６とから構成されていた。
【０００３】
上記構成において、蓄熱部材２１に蓄熱する場合は制御部が高温ふく射ヒータ２２に通電して、そのふく射熱により蓄熱部材２１を加熱し、蓄熱させていた。
【０００４】
次に温風熱交換は制御部が高温ふく射ヒータ２２と送風機２５に通電し、送風機２５で蓄熱通風路２３に空気が送られ蓄熱部材２１により加熱され、高温ふく射ヒータ２２でも加熱されて固定式整流板２７を有した温風吹出口２６より吹き出していた。
【０００５】
また、蓄熱部材２１が蓄熱されていない場合は、送風機２５により蓄熱通風路２３に送られた空気は高温ふく射ヒータ２２でのみ加熱され固定式整流板２７を有した温風吹出口２６より吹き出していた。
【０００６】
【発明が解決しようとする課題】
しかしながら部屋暖房を行うために強い温風を吹き出す蓄熱温風機において、整流板が固定式の場合、温風吹出口より吹き出す温風の風向を変更できないので強い温風を特定の方向や、より遠くに送ることができず、暖められる範囲は限定されるため使用人数や使用状況にあった効率的な暖房ができないという問題があった。
【０００７】
また、可動式整流板を有し、温風の風向を変更可能なものでも、それぞれ隣接する可動式整流板の間隔が温風風下側で可動式整流板の回動支軸間より狭くなる場合は圧損等が生じるため温風の吹出し効率が悪くなるという問題があった。
【０００８】
そのため、圧損の影響を減少させるために各可動式整流板間の間隔を大きく広げたり、可動式整流板の回動量を少なくしなければならず、温風の風向を細かく制御できなかった。
【０００９】
そこで、本発明では温風をより遠くまで送ることができ、効率よく使用条件に適した細かい温風の風向制御が可能な蓄熱温風機を提供することを課題とする。
【００１０】
【課題を解決するための手段】
上記課題を解決するために、本発明の蓄熱温風機は、前面下部に温風吹出口を有する本体と、この本体に内設され、熱源により加熱されて蓄熱する蓄熱部材と、前記蓄熱部材に空気を通して温風となし、前記温風吹出口より吹出させる送風機と、運転モードに応じて前記熱源手段および送風機を制御する制御部と、前記温風吹出口に配置され、その温風吹出口からの温風吹出し方向を変えるために左右に回動可能で、かつ床面と略垂直方向に配設された複数枚の可動式整流板とを具備し、前記複数枚の可動式整流板は風上側がそれぞれ軸支されるとともに、反対側の風下側側面からは隣接した可動式整流板に当接するアーム部をそれぞれ突設し、前記複数枚の可動式整流板を左右方向に回動させた場合に、これら整流板の風下側間隔をアーム部の長さを基準とした値に保持するようにしたものである。
【００１１】
【発明の実施の形態】
本発明は、前面下部に温風吹出口を有する本体と、この本体に内設され、熱源により加熱されて蓄熱する蓄熱部材と、前記蓄熱部材に空気を通して温風となし、前記温風吹出口より吹出させる送風機と、運転モードに応じて前記熱源手段および送風機を制御する制御部と、前記温風吹出口に配置され、その温風吹出口からの温風吹出し方向を変えるために左右に回動可能で、かつ床面と略垂直方向に配設された複数枚の可動式整流板とを具備し、前記複数枚の可動式整流板は風上側がそれぞれ軸支されるとともに、反対側の風下側側面からは隣接した可動式整流板に当接するアーム部をそれぞれ突設し、前記複数枚の可動式整流板を左右方向に回動させた場合に、これら整流板の風下側間隔をアーム部の長さを基準とした値に保持するようにしたもので、これにより温風をより遠くまで送ることができる。
【００１２】
【実施例】
以下、本発明の実施例について図面を参照しながら説明する。
【００１３】
（実施例１）
図１〜３は蓄熱温風機に実施したもので、１は蓄熱するための蓄熱部材であり、２はこの蓄熱部材１を加熱して蓄熱させ、空気を温風に加熱するための高温ふく射ヒータである。
【００１４】
蓄熱部材１に蓄積した熱も空気を温風に熱交換するために使用される。
【００１５】
高温ふく射ヒータ２を内部に設けた蓄熱通風路３が蓄熱部材１の周りに構成されており、蓄熱通風路３を断熱するための断熱部材４が蓄熱通風路３の周りに構成されている。
【００１６】
５は蓄熱通風路に空気を送り込むための送風機、６は温風吹出口で、床面と略垂直な６枚の可動式整流板８と床面と略水平な４枚の固定式整流板７から構成されている。
【００１７】
図２に示すように、各可動式整流板８にはそれぞれ隣接する可動式整流板８と一定の距離を保つためのアーム部８ａ、８ｂが左右に設けられ、それぞれが回動した場合、図３のように隣接する可動式整流板８との間隔が温風風下側で可動式整流板８の回動支軸間と略同等または広くなるように構成されている。
【００１８】
次に動作について説明する。
【００１９】
蓄熱部材１に蓄熱する場合は制御部（図示せず）が高温ふく射ヒータ２に通電して、そのふく射熱により蓄熱部材１を加熱し蓄熱する。
【００２０】
暖房時には蓄熱が成されている場合、温風熱交換は制御部が高温ふく射ヒータ２と送風機５に通電し、送風機５で蓄熱通風路３に空気が送られ蓄熱された蓄熱部材１により加熱され、高温ふく射ヒータ２でも加熱されて、それぞれ回動された可動式整流板８により方向規制された温風が温風吹出口６より遠くの範囲まで吹き出す。
【００２１】
また、蓄熱部材１が蓄熱されていない場合は、送風機５により蓄熱通風路３に送られた空気は高温ふく射ヒータ２でのみ加熱されてそれぞれ回動された可動式整流板８により方向規制された温風が温風吹出口６より遠くの範囲まで吹き出す。
【００２２】
前記したように、可動式整流板８にはその左右方向にアーム部８ａ、８ｂが形成してあるため、可動式整流板８を左右方向に回動したとき、それら軸支部位での間隔（可動式整流板側面に垂直な間隔）は小さくなるが、風下側ではアーム部８ａ、８ｂの長さに相当する間隔に保たれることとなり、その分通気抵抗が小さくなり、遠くまで温風がいきわたることなる。
【００２３】
（参考実施例）
図４は温風吹出口部分の斜視図で６は温風吹出口で床面と略垂直な６枚の可動式整流板９ａ〜９ｆと、可動式整流板９ａ、９ｂ、９ｃの３枚を同時に駆動するＬ側レバー１０と可動式整流板９ｄ、９ｅ、９ｆの３枚を同時に駆動するＲ側レバー１１から構成されている。
【００２４】
また、Ｌ側レバー１０により回動される各可動式整流板９ａ、９ｂ、９ｃはそれぞれが略平行になるようにＬ側レバー１０に配設され、Ｒ側レバー１１により回動される各可動式整流板９ｄ、９ｅ、９ｆはそれぞれが略平行になるようにＲ側レバー１１に配設されている。
【００２５】
また、隣接し合うＬ側レバー１０により回動している可動式整流板９ｃとＲ側レバー１１により回動している可動式整流板９ｄとの間隔が温風風下側で可動式整流板９ｃ、９ｄの回動支軸間より狭くならないようにＬ側レバー１０とＲ側レバー１１のそれぞれの端部１０ａ，１１ａが当接するように構成されている。
【００２６】
このため蓄熱通風路３で加熱された空気は図５のようＬ側レバー１０またはＲ側レバー１１で回動された可動式整流板９ａ〜９ｆにより方向規制され、圧損等を生じることなく温風吹出口より遠くの範囲まで吹き出し、同時に使用者の意図する方向に吹き出す。
【００２７】
【発明の効果】
以上の説明から明らかなように本発明の蓄熱温風機によれば、温風吹出口に左右に回動可能で床面と略垂直方向に配設された複数枚の可動式整流板において、それぞれ隣接する前記可動式整流板との間隔が温風風下側で回動支軸間と略同等または広くなるように構成したことで、前記可動式整流板間の圧損を抑えることができ、温風をより遠くの範囲まで届けることができる。
【００２８】
さらに、温風を左右全体に広げたり、左、前方、右の各方向に細かく風向制御ができるので使用人数や使用状況にあった効率的な暖房を行うことができる。
【図面の簡単な説明】
【図１】  本発明の実施例１の全体構成の概略を示す部分断面斜視図
【図２】  同装置の温風吹出口部分の斜視図
【図３】  （ａ）同装置の可動式整流板の動作説明図
（ｂ）同動作説明図
（ｃ）同動作説明図
（ｄ）同動作説明図
【図４】  本発明の参考実施例を示す温風吹出口部分の斜視図
【図５】  （ａ）参考実施例の可動式整流板の動作説明図
（ｂ）同動作説明図
（ｃ）同動作説明図
（ｄ）同動作説明図
【図６】  従来例の全体構成の概略を示す部分断面斜視図
【符号の説明】
１  蓄熱部材
２  高温ふく射ヒータ
３  蓄熱通風路
４  断熱部材
５  送風機
６  温風吹出口
７  固定式整流板
８  可動式整流板
【図１】
0004062774.tif 000002
【図２】
0004062774.tif 000003
【図３】
0004062774.tif 000004
【図４】
0004062774.tif 000005
【図５】
0004062774.tif 000006
【図６】
0004062774.tif 000007